(57)【特許請求の範囲】
【請求項１】
所定容積の内部空間を有する構造物の該内部空間に挿脱可能に収容され、前記構造物の内部空間に流れる空気の風量を測定する風量測定器において、
前記風量測定器が、頂部を開放した所定容積の筐体と、前記風量を測定する風速センサと、前記筐体の内部に設置されて前記風速センサを着脱可能に固定するセンサユニットと、前記センサユニットとともに風速センサを前記筐体の内部において上下方向へ昇降させる昇降ユニットとを有し、
前記風量測定器では、前記昇降ユニットを介して前記風速センサを上下方向上方へ上昇させたときに、前記風速センサのセンサ部が前記筐体内部の測定位置に位置決め固定され、前記筐体内部に画成された所定の空気流路に流れる空気を前記センサ部に通流させることで前記風速センサが前記空気流路に流れる空気の風量を測定することを特徴とする風量測定器。
【請求項２】
前記構造物が、実験動物の飼育ケージを挿脱可能に収容する複数のケージ収容部を備えたラック本体と、それらケージ収容部に作られて該収容部に前記飼育ケージを収容したときに該ケージの前壁側の上方に位置する空気排気口と、それら飼育ケージ内部に流れる空気を前記空気排気口を介して排気する排気チャンバーとを有する実験動物飼育用ラックであり、前記筐体が、前記飼育ケージであり、
前記風量測定器では、前記昇降ユニットを介して前記風速センサを上下方向上方へ上昇させたときに、前記風速センサのセンサ部が前記飼育ケージ内部の測定位置に位置決め固定され、前記ケージ内部に画成された所定の空気流路に流れる空気を前記センサ部に通流させることで前記風速センサが該飼育ケージにおける換気風量を測定する請求項１に記載の風量測定器。
【請求項３】
前記センサユニットが、前記飼育ケージ内部に位置して前後方向へ延びていて前記風速センサを着脱可能に固定する昇降台座と、前記昇降台座の前端部に設置されて前記風速センサのセンサ部が挿入される空気通流ボックスとを備え、
前記昇降ユニットが、前記ケージ内部における前記昇降台座の下方に位置して前後方向へスライドするスライダーと、前記ゲージの後壁から該ケージの外側に位置し、往復スライダクランク機構によって前記スライダーを前後方向へスライドさせるトグルクランプと、前記昇降台座と前記スライダーとに連結され、梃子クランク機構によって前記昇降台座を昇降させるベルクランクとを備え、
前記風量測定器では、前記トグルクランプの往復スライダクランク機構によって前記スライダーを前後方向前方へスライドさせると、前記ベルクランクの梃子クランク機構によって前記昇降台座が上下方向上方へ上昇し、前記トグルクランプの往復スライダクランク機構によって前記スライダーを前後方向後方へスライドさせると、前記ベルクランクの梃子クランク機構によって前記昇降台座が上下方向下方へ下降する請求項２に記載の風量測定器。
【請求項４】
前記昇降ユニットが、前記スライダーの下方に位置して前後方向へ延びる固定台座を含み、前記トグルクランプが、前記飼育ゲージの後壁から該ケージの外側に露出する前記固定台座の後端部に設置され、前記ベルクランクのシャフトが、前記固定台座に連結され、前記ベルクランクの原動軸が、前記スライダーに連結されているとともに、前記ベルクランクの従動軸が、前記昇降台座に連結されている請求項３に記載の風量測定器。
【請求項５】
前記空気通流ボックスが、前記風速センサのセンサ部が位置する筒状の第１ボックスと、前記第１ボックスの上方に位置する第２ボックスとから形成され、前記第１ボックスが、前記ケージの底壁に対向する底部開口と、前記第２ボックスに連通する頂部開口と、それら開口の間に延びる前記空気流路とを有し、前記第２ボックスが、前記第１ボックスの頂部開口から流入した空気が通る空気流路と、前記ケージ収容部の空気排気口に対向する頂部開口とを有し、
前記風量測定器では、前記昇降台座が上下方向上方へ上昇したときに、前記第２ボックスの頂部開口が前記空気排気口の全域を包囲しつつ該頂部開口を画成する周縁部が該空気排気口の周囲に密着する請求項３または請求項４に記載の風量測定器。
【請求項６】
前記第２ボックスの頂部開口を画成する周縁部には、前記空気排気口の周囲に対する密着状態を維持するためのガスケットが取り付けられている請求項５に記載の風量測定器。
【請求項７】
前記第１ボックスの空気流路の面積が、前記飼育ケージの容積によってあらかじめ決定され、前記風量測定器では、面積の異なる空気流路を有する各種の第１ボックスが前記昇降台座の前端部に着脱可能に設置される請求項５または請求項６に記載の風量測定器。
【請求項８】
前記第１ボックスが、透明なプラスチックから作られ、前記第１ボックスの底部開口が、前記飼育ケージの底壁の側に位置するとともに、前記第２ボックスの頂部開口が、前記飼育ケージの頂部開口の側に位置し、前記第１ボックスの空気流路が、前記飼育ケージの前壁の側における上下方向中央において直状に延びている請求項５ないし請求項７いずれかに記載の風量測定器。
【請求項９】
前記風量測定器では、前記飼育ケージの上下方向の高さ寸法に応じて該ケージの底壁からの前記第２ボックスの頂部開口の上下方向の高さ寸法を調節可能である請求項５ないし請求項８いずれかに記載の風量測定器。
【請求項１０】
前記風量測定器を形成する前記飼育ケージの後壁には、該ケージを片手で把持可能な持ち手が取り付けられている請求項２ないし請求項９いずれかに記載の風量測定器。
【請求項１１】
前記風速センサが、前後方向へ長い棒状の前記センサ部および前後方向へ長い棒状の柄部を有するプローブと、前記センサ部が検知した風速から前記飼育ケージの換気風量を計測する換気風量計測手段および計測した換気風量を表示する風量表示手段を有するコントローラとから形成され、前記プローブの柄部が、前記昇降台座に着脱可能に固定されている請求項３ないし請求項１０いずれかに記載の風量測定器。
【請求項１２】
前記コントローラが、あらかじめ設定された設定風量と計測した測定風量とを比較する風量比較手段と、前記風量比較手段によって設定風量と測定風量とを比較した結果、測定風量が設定風量の範囲内にある場合にそれを光または音によって出力する第１信号出力手段と、測定風量が設定風量の範囲内にない場合にそれを光または音によって出力する第２信号出力手段とを有する請求項１１に記載の風量測定器。
【請求項１３】
前記コントローラが、前記換気風量計測手段によって計測した前記飼育ケージの換気風量を記憶する換気風量記憶手段と、前記風量比較手段によって比較した設定風量と測定風量との比較結果を記憶する比較結果記憶手段と、前記換気風量記憶手段によって記憶した換気風量を出力する換気風量出力手段と、前記比較結果記憶手段によって記憶した比較結果を出力する比較結果出力手段とを有する請求項１２に記載の風量測定器。
【請求項１４】
前記風速センサが、前記柄部と前記コントローラとを連結するケーブルを含み、前記ケーブルが、前記飼育ケージの後壁から該ケージの外側へ向かって延び、前記コントローラが、前記飼育ケージの外側に位置している請求項１１ないし請求項１３いずれかに記載の風量測定器。
【請求項１５】
前記風速センサが、前記柄部と前記コントローラとを連結するケーブルを含み、前記コントローラが、前記飼育ケージの後壁の所定の箇所に取り付けられている請求項１１ないし請求項１３いずれかに記載の風量測定器。
【請求項１６】
前記コントローラは、前記昇降台座が上下方向上方へ上昇したことをトリガーとして前記換気風量計測手段と前記風量比較手段とを開始する請求項１２ないし請求項１５いずれかに記載の風量測定器。
【請求項１７】
前記風速センサが、０．０１〜５．０ｍ／ｓの微風速を測定する無指向性の微風速センサである請求項１ないし請求項１６に記載の風量測定器。
【発明の詳細な説明】
【技術分野】
【０００１】
本発明は、所定容積の内部空間を有する構造物のその内部空間に流れる空気の風量を測定する風量測定器に関し、より具体的には、実験動物飼育用ラックの各ケージ収容部に収容される飼育ケージの換気風量を測定する風量測定器に関する。
【背景技術】
【０００２】
実験用の小動物を収容する複数の飼育ケージと、それらケージを挿脱可能に収容する複数のケージ収容部を備えたラック本体と、それらケージ収容部に作られて収容部にケージを収容したときにケージの前壁側の上方に位置する空気排気口と、それらケージ内部に流れる空気を空気排気口を介して排気する排気チャンバーとを有する実験動物飼育用ラックが開示されている（特許文献１参照）。飼育ケージをケージ収容部に収容すると、排気チャンバーの空気排気口から空気が吸引され、ケージの内部の空気が換気される。
【先行技術文献】
【特許文献】
【０００３】
【特許文献１】特開２０１２−０１０６１５号公報
【発明の概要】
【発明が解決しようとする課題】
【０００４】
実験動物飼育用ラックでは、空気排気口から排気チャンバーに吸引された空気の排気風量が各ケージ収容部において同一であり、各飼育ケージにおける換気風量が微風速かつ均等であることが必要である。実験動物飼育用ラックの出荷前には、各ケージ収容部における飼育ケージの換気風量が設定風量の範囲内であることを実証するため、空気排気口における排気風量を風速センサによって測定する。
【０００５】
風速センサによる排気風量の測定の一例としては、測定者が風速センサのプローブの柄を一方の手で持ち、他方の手で風速センサのコントローラを持ちながら、一方の手でプローブのセンサ部を空気排気口に近づける。センサ部が空気排気口の近傍に位置すると、コントローラが排気口の排気風量を計測し、計測した排気風量がコントローラのディスプレイに表示される。測定者は、コントローラのディスプレイに表示された排気風量を確認し、その排気風量があらかじめ設定された設定風量の範囲内にあるかを判断する。
【０００６】
そのような作業者の手作業による排気風量の測定では、測定者が一方の手でプローブのセンサ部を空気排気口に近づけるとともに、他方の手に持つコントローラのディスプレイを目で追うから、プローブのセンサ部を空気排気口の近傍における所定の位置に位置決め固定することが非常に困難であり、センサ部の測定位置が常に変化する。さらに、空気排気口の近傍では他の箇所からの空気の進入によって空気の気流が乱れている。
【０００７】
したがって、作業者の手作業による排気風量の測定では、全てのケージ収容部における測定条件を同じにすることができず、同一の測定条件で各ケージ収容部の排気風量を測定することができないとともに、各ケージ収容部において正確な排気風量を測定することができない。また、プローブのセンサ部を片手で空気排気口に近づけたときに、センサ部がケージ収容部に衝突し、排気風量の測定時にセンサ部を傷つける場合がある。センサ部が損傷するとそのセンサ部を新しいそれに交換しなければならず、そのためのコストがかかることはもちろん、交換作業に手間を要し、その結果、排気風量の測定に無用なコストと時間とが費やされる。
【０００８】
本発明の目的は、同一の測定条件で所定容積の内部空間を有する構造物のその内部空間に通流する空気の風量を測定することができるとともに、正確な風量を測定することができる風量測定器を提供することにある。本発明の他の目的は、同一の測定条件で全てのケージ収容部における飼育ケージの換気風量を測定することができるとともに、正確な換気風量を測定することができる風量測定器を提供することにある。さらに、本発明の他の目的は、換気風量の測定時に風速センサのセンサ部を損傷することがなく、コストがかからず、短時間に換気風量を測定することができるとともに、測定者の技量に頼ることなく換気風量を測定することができる風量測定器を提供することにある。
【課題を解決するための手段】
【０００９】
前記課題を解決するための本発明の前提は、所定容積の内部空間を有する構造物のその内部空間に挿脱可能に収容され、構造物の内部空間に流れる空気の風量を測定する風量測定器である。
【００１０】
前記前提における本発明の特徴は、風量測定器が、頂部を開放した所定容積の筐体と、風量を測定する風速センサと、筐体の内部に設置されて風速センサを着脱可能に固定するセンサユニットと、センサユニットとともに風速センサを筐体の内部において上下方向へ昇降させる昇降ユニットとを有し、風量測定器では、昇降ユニットを介して風速センサを上下方向上方へ上昇させたときに、風速センサのセンサ部が筐体内部の測定位置に位置決め固定され、筐体内部に画成された所定の空気流路に流れる空気をセンサ部に通流させることで風速センサが空気流路に流れる空気の風量を測定することにある。
【００１１】
本発明の一例としては、構造物が、実験動物の飼育ケージを挿脱可能に収容する複数のケージ収容部を備えたラック本体と、それらケージ収容部に作られてケージ収容部に飼育ケージを収容したときにその飼育ケージの前壁側の上方に位置する空気排気口と、それら飼育ケージ内部に流れる空気を空気排気口を介して排気する排気チャンバーとを有する実験動物飼育用ラックであり、筐体が、飼育ケージであり、風量測定器では、昇降ユニットを介して風速センサを上下方向上方へ上昇させたときに、風速センサのセンサ部が飼育ケージ内部の測定位置に位置決め固定され、ケージ内部に画成された所定の空気流路に流れる空気をセンサ部に通流させることで風速センサが飼育ケージにおける換気風量を測定する。
【００１２】
本発明の他の一例としては、センサユニットが、飼育ケージ内部に位置して前後方向へ延びていて風速センサを着脱可能に固定する昇降台座と、昇降台座の前端部に設置されて風速センサのセンサ部が挿入される空気通流ボックスとを備え、昇降ユニットが、飼育ケージ内部における昇降台座の下方に位置して前後方向へスライドするスライダーと、飼育ゲージの後壁からケージの外側に位置し、往復スライダクランク機構によってスライダーを前後方向へスライドさせるトグルクランプと、昇降台座とスライダーとに連結され、梃子クランク機構によって昇降台座を昇降させるベルクランクとを備え、風量測定器では、トグルクランプの往復スライダクランク機構によってスライダーを前後方向前方へスライドさせると、ベルクランクの梃子クランク機構によって昇降台座が上下方向上方へ上昇し、トグルクランプの往復スライダクランク機構によってスライダーを前後方向後方へスライドさせると、ベルクランクの梃子クランク機構によって昇降台座が上下方向下方へ下降する。
【００１３】
本発明の他の一例としては、昇降ユニットがスライダーの下方に位置して前後方向へ延びる固定台座を含み、トグルクランプが飼育ゲージの後壁からケージの外側に露出する固定台座の後端部に設置され、ベルクランクのシャフトが固定台座に連結され、ベルクランクの原動軸がスライダーに連結されているとともに、ベルクランクの従動軸が昇降台座に連結されている。
【００１４】
本発明の他の一例としては、空気通流ボックスが、風速センサのセンサ部が位置する筒状の第１ボックスと、第１ボックスの上方に位置する第２ボックスとから形成され、第１ボックスが、飼育ケージの底壁に対向する底部開口と、第２ボックスに連通する頂部開口と、それら開口の間に延びる空気流路とを有し、第２ボックスが、第１ボックスの頂部開口から流入した空気が通る空気流路と、ケージ収容部の空気排気口に対向する頂部開口とを有し、風量測定器では、昇降台座が上下方向上方へ上昇したときに、第２ボックスの頂部開口が空気排気口の全域を包囲しつつ頂部開口を画成する周縁部が空気排気口の周囲に密着する。
【００１５】
本発明の他の一例として、第２ボックスの頂部開口を画成する周縁部には、空気排気口の周囲に対する密着状態を維持するためのガスケットが取り付けられている。
【００１６】
本発明の他の一例としては、第１ボックスの空気流路の面積が飼育ケージの容積によってあらかじめ決定され、風量測定器では、面積の異なる空気流路を有する各種の第１ボックスが昇降台座の前端部に着脱可能に設置される。
【００１７】
本発明の他の一例としては、第１ボックスが透明なプラスチックから作られ、第１ボックスの底部開口が飼育ケージの底壁の側に位置するとともに、第２ボックスの頂部開口が飼育ケージの頂部開口の側に位置し、第１ボックスの空気流路が飼育ケージの前壁の側における上下方向中央において直状に延びている。
【００１８】
本発明の他の一例として、風量測定器では、飼育ケージの上下方向の高さ寸法に応じてケージの底壁からの第２ボックスの頂部開口の上下方向の高さ寸法を調節可能である。
【００１９】
本発明の他の一例として、風量測定器を形成する飼育ケージの後壁には、飼育ケージを片手で把持可能な持ち手が取り付けられている。
【００２０】
本発明の他の一例としては、風速センサが、前後方向へ長い棒状の前記センサ部および前後方向へ長い棒状の柄部を有するプローブと、センサ部が検知した風速から飼育ケージの換気風量を計測する換気風量計測手段および計測した換気風量を表示する風量表示手段を有するコントローラとから形成され、プローブの柄部が昇降台座に着脱可能に固定されている。
【００２１】
本発明の他の一例としては、コントローラが、あらかじめ設定された設定風量と計測した測定風量とを比較する風量比較手段と、風量比較手段によって設定風量と測定風量とを比較した結果、測定風量が設定風量の範囲内にある場合にそれを光または音によって出力する第１信号出力手段と、測定風量が設定風量の範囲内にない場合にそれを光または音によって出力する第２信号出力手段とを有する。
【００２２】
本発明の他の一例としては、コントローラが、換気風量計測手段によって計測した飼育ケージの換気風量を記憶する換気風量記憶手段と、風量比較手段によって比較した設定風量と測定風量との比較結果を記憶する比較結果記憶手段と、換気風量記憶手段によって記憶した換気風量を出力する換気風量出力手段と、比較結果記憶手段によって記憶した比較結果を出力する比較結果出力手段とを有する。
【００２３】
本発明の他の一例としては、風速センサが柄部とコントローラとを連結するケーブルを含み、ケーブルが飼育ケージの後壁からケージの外側へ向かって延び、コントローラがケージの外側に位置している。
【００２４】
本発明の他の一例としては、風速センサが柄部とコントローラとを連結するケーブルを含み、コントローラが飼育ケージの後壁の所定の箇所に取り付けられている。
【００２５】
本発明の他の一例として、コントローラは、昇降台座が上下方向上方へ上昇したことをトリガーとして換気風量計測手段と風量比較手段とを開始する。
【００２６】
本発明の他の一例としては、風速センサが０．０１〜５．０ｍ／ｓの微風速を測定する無指向性の微風速センサである。
【発明の効果】
【００２７】
本発明にかかる風量測定器によれば、昇降ユニットによって風速センサを上下方向上方へ上昇させたときに、風速センサのセンサ部が頂部を開放した筐体内部の所定の測定位置に位置決め固定され、筐体内部に画成された所定の空気流路に流れる空気をセンサ部に通流させることで風速センサが筐体内部に流れる空気の風量を測定するから、風速センサのセンサ部を筐体内部の測定位置に位置決め固定することができ、所定容積の内部空間を有する構造物のその内部空間における測定位置を内部空間のあらゆる箇所において同一にすることができる。風量測定器は、同一の測定条件で構造物の内部空間に流れる空気の風量を測定することができるから、測定条件が異なることによる風量の測定値のばらつきを防ぐことができ、正確な風量を測定することができる。風量測定器は、筐体内部に画成された所定の空気流路に流れる空気をセンサ部に通流させるから、他の箇所からの空気の進入による空気の気流の乱れがなく、構造物の内部空間のあらゆる箇所において安定した気流で換気風量を測定することができ、安定した条件で構造物の内部空間の風量を測定することができる。風量測定器は、風速センサがセンサユニットに固定されているから、風量の測定時にセンサ部が構造物に衝突することはなく、センサ部の損傷を防ぐことができ、センサ部を交換することによる手間やコストがかからず、短時間に風量を測定することができる。
【００２８】
構造物が実験動物飼育用ラックであり、筐体が飼育ケージである風量測定器は、昇降ユニットによって風速センサを上下方向上方へ上昇させたときに、風速センサのセンサ部がケージ内部の所定の測定位置に位置決め固定され、ケージ内部に画成された所定の空気流路に流れる空気をセンサ部に通流させることで風速センサがケージにおける換気風量を測定するから、風速センサのセンサ部をケージ内部の所定の測定位置に位置決め固定することができ、全てのケージ収容部における測定位置を同一にすることができる。風量測定器は、同一の測定条件で全てのケージ収容部における飼育ケージの換気風量を測定することができるから、測定条件が異なることによる換気風量の測定値のばらつきを防ぐことができ、正確な換気風量を測定することができる。風量測定器は、ケージ内部に画成された所定の空気流路に流れる空気をセンサ部に通流させるから、他の箇所からの空気の進入による空気の気流の乱れがなく、全てのケージ収容部において安定した気流で換気風量を測定することができ、安定した条件で飼育ケージの換気風量を測定することができる。風量測定器は、風速センサがセンサユニットに固定されているから、換気風量の測定時にセンサ部がラック本体のケージ収容部に衝突することはなく、センサ部の損傷を防ぐことができ、センサ部を交換することによる手間やコストがかからず、短時間に換気風量を測定することができる。
【００２９】
トグルクランプの往復スライダクランク機構によるスライダーのスライドとベルクランクの梃子クランク機構による昇降台座の昇降とによって昇降台座を上下方向へ昇降させる風量測定器は、往復スライダクランク機構と梃子クランク機構とによって風速センサを上下方向上方へ上昇させたときに、風速センサのセンサ部が飼育ケージ内部の所定の測定位置に位置決め固定され、ケージ内部に画成された所定の空気流路に流れる空気をセンサ部に通流させることで風速センサが飼育ケージにおける換気風量を測定するから、風速センサのセンサ部をケージ内部の測定位置に位置決め固定することができ、全てのケージ収容部における測定位置を同一にすることができる。風量測定器は、同一の測定条件で全てのケージ収容部における飼育ケージの換気風量を測定することができるから、測定条件が異なることによる換気風量の測定値のばらつきを防ぐことができ、正確な換気風量を測定することができる。
【００３０】
ベルクランクのシャフトが固定台座に連結され、ベルクランクの原動軸がスライダーに連結されているとともに、ベルクランクの従動軸が昇降台座に連結されている風量測定器は、トグルクランプの往復スライダクランク機構によるスライダーのスライドによって、シャフトを中心にベルクランクを揺動させることができ、ベルクランクの梃子クランク機構によって昇降台座を上下方向へ確実に昇降させることができる。風量測定器は、風速センサを上下方向上方へ上昇させたときに、風速センサのセンサ部が飼育ケージ内部の所定の測定位置に位置決め固定され、ケージ内部に画成された所定の空気流路に流れる空気をセンサ部に通流させることで風速センサが飼育ケージにおける換気風量を測定するから、風速センサのセンサ部をケージ内部の測定位置に位置決め固定することができ、全てのケージ収容部における測定位置を同一にすることができる。風量測定器は、同一の測定条件で全てのケージ収容部における飼育ケージの換気風量を測定することができるから、測定条件が異なることによる換気風量の測定値のばらつきを防ぐことができ、正確な換気風量を測定することができる。
【００３１】
空気通流ボックスが筒状の第１ボックスと第１ボックスの上方に位置する第２ボックスとから形成され、昇降台座が上下方向上方へ上昇したときに、第２ボックスの頂部開口が空気排気口の全域を包囲しつつ頂部開口を画成する周縁部が空気排気口の周囲に密着する風量測定器は、飼育ケージ内部の換気風量の測定時に、第２ボックスの頂部開口を画成する周縁部が空気排気口の周囲に密着するから、空気排気口と第２ボックスの頂部開口との間に隙間が生じることはなく、頂部開口の隙間から空気が第２ボックスに進入することを防ぐことができる。風量測定器は、飼育ケージ内部の第１および第２ボックスに画成された空気流路に流れる空気の気流が乱れることはなく、空気流路に流れる空気の気流が安定し、安定した流れの空気をセンサ部に通流させることができ、安定した条件で各ケージ収容部における飼育ケージの換気風量を測定することができる。風量測定器は、昇降台座が上下方向上方へ上昇したときに、第２ボックスの頂部開口が空気排気口の全域を包囲するから、空気排気口の一部が第２ボックスの頂部開口から外れることはなく、空気排気口から排気チャンバーに吸引される排気風量の全てに対応する正確な換気風量を測定することができる。
【００３２】
空気排気口の周囲に対する密着状態を維持するためのガスケットが第２ボックスの頂部開口を画成する周縁部に取り付けられている風量測定器は、飼育ケージ内部の換気風量の測定時に、第２ボックスの頂部開口を画成する周縁部がガスケットを介して空気排気口の周囲に密着するから、空気排気口と第２ボックスの頂部開口との間に隙間が生じることはなく、頂部開口の隙間から空気が第２ボックスに進入することを防ぐことができる。風量測定器は、飼育ケージ内部の第１および第２ボックスに画成された空気流路に流れる空気の気流が乱れることはなく、空気流路に流れる空気の気流が安定し、安定した流れの空気をセンサ部に通流させることができ、安定した条件で各ケージ収容部における飼育ケージの換気風量を測定することができる。
【００３３】
第１ボックスの空気流路の面積が飼育ケージの容積によってあらかじめ決定され、面積の異なる空気流路を有する各種の第１ボックスが昇降台座の前端部に着脱可能に設置される風量測定器は、飼育ケージの容積によって面積の異なる空気流路を有する第１ボックスが選定され、選定された第１ボックスが昇降台座の前端部に設置されるから、風速センサのセンサ部を配置する空気流路の面積が飼育ケージの容積に対応し、風速センサを利用して各ケージ収容部における飼育ケージの正確な換気風量を測定することができる。
【００３４】
第１ボックスの底部開口が飼育ケージの底壁の側に位置するとともに、第２ボックスの頂部開口が飼育ケージの頂部開口の側に位置し、第１ボックスの空気流路が飼育ケージの前壁の側における上下方向中央において直状に延びている風量測定器は、第１ボックスの空気流路が飼育ケージの底壁の側から上下方向へ直状に延びることで、第１ボックスの空気流路を流れる空気の気流が確実に整流され、第１および第２ボックスの空気流路に流れる空気の気流が乱れることはなく、空気流路に流れる空気の気流が安定し、安定した流れの空気をセンサ部に通流させることができ、安定した条件で各ケージ収容部における飼育ケージの換気風量を測定することができる。
【００３５】
第１ボックスが透明なプラスチックから作られ、飼育ケージの上下方向の高さ寸法に応じてケージの底壁からの第２ボックスの頂部開口の上下方向の高さ寸法を調節可能な風量測定器は、第１ボックスが透明なプラスチックから作られており、第１ボックスの中を視認することができるから、風速センサのセンサ部を第１ボックスの空気流路に配置するときに、センサ部の空気流路における位置を確認することができ、センサ部の測定位置を確認しつつ位置決めすることができる。風量測定器は、第２ボックスの頂部開口の上下方向の高さ寸法を飼育ケージの上下方向の高さ寸法に対応させることができるから、飼育ケージ内部の換気風量の測定時に、第２ボックスの頂部開口を画成する周縁部を空気排気口の周囲に確実に密着させることができ、空気排気口と第２ボックスの頂部開口との間に隙間が生じることはなく、頂部開口の隙間から空気が第２ボックスに進入することを防ぐことができる。風量測定器は、飼育ケージ内部に画成された第１および第２ボックスの空気流路に流れる空気の気流が乱れることはなく、空気流路に流れる空気の気流が安定し、安定した流れの空気をセンサ部に通流させることができ、安定した条件で各ケージ収容部における飼育ケージの換気風量を測定することができる。
【００３６】
飼育ケージを片手で把持可能な持ち手がケージの後壁に取り付けられている風量測定器は、持ち手を介して片手で飼育ケージを持つことができ、片手でケージを各ケージ収容部に挿脱することができるから、各ケージ収容部に対するケージの挿脱を両手で行う場合と比較し、各ケージ収容部に対するケージの挿脱を簡単に行うことができ、各ケージ収容部における飼育ケージの換気風量の測定に手間がかからず、換気風量の測定を迅速かつ容易に測定することができる。
【００３７】
風速センサが前後方向へ長い棒状のセンサ部および前後方向へ長い棒状の柄部を有するプローブとセンサ部が検知した風速から飼育ケージの換気風量を計測しつつ計測した換気風量を表示するコントローラとから形成され、プローブの柄部が昇降台座に着脱可能に固定されている風量測定器は、コントローラに表示された換気風量を見ることで、各ケージ収容部における飼育ケージの換気風量を容易に確認することができる。風量測定器は、プローブの柄部が昇降台座に固定されるから、全てのケージ収容部における測定位置を同一にすることができるとともに、換気風量の測定時に風速センサのセンサ部がラック本体の所定の箇所に衝突することはなく、センサ部の損傷を防ぐことができる。
【００３８】
コントローラが設定風量と測定風量とを比較する風量比較手段、測定風量が設定風量の範囲内にあることを光または音によって出力する第１信号出力手段、測定風量が設定風量の範囲内にないことを光または音によって出力する第２信号出力手段を有する風量測定器は、コントローラを介して測定風量と設定風量とを正確に比較することができるのみならず、測定風量が設定風量の範囲内にあることを光または音によって知ることができるとともに、測定風量が設定風量の範囲内にないことを光または音によって知ることができるから、測定風量が設定風量の範囲内にあるか否かを測定者が容易かつ迅速に知ることができる。風量測定器は、測定者が飼育ケージの換気風量を視認して判断する手間を省くことができるとともに、測定者の換気風量の視認の誤りによる風量測定の過誤を防ぐことができる。
【００３９】
コントローラが飼育ケージの換気風量を記憶する換気風量記憶手段、設定風量と測定風量との比較結果を記憶する比較結果記憶手段、記憶した換気風量を出力する換気風量出力手段、記憶した比較結果を出力する比較結果出力手段を有する風量測定器は、換気風量記憶手段によって記憶した換気風量を事後に出力することができ、各ケージ収容部における飼育ケージの換気風量を事後に確認することができる。風量測定器は、比較結果記憶手段によって記憶した比較結果を事後に出力することができ、各ケージ収容部における飼育ケージの測定風量と設定風量との比較結果を事後に確認することができる。風量測定器は、各ケージ収容部における飼育ケージの換気風量や各ケージ収容部における飼育ケージの測定風量と設定風量との比較結果をデータとして出力することができるから、各ケージ収容部における飼育ケージの換気風量が設定風量の範囲内にあることを十分に実証することができるとともに、各ケージ収容部における飼育ケージの換気風量が均等であることを十分に実証することができる。
【００４０】
風速センサが柄部とコントローラとを連結するケーブルを含み、ケーブルが飼育ケージの後壁からケージの外側へ向かって延び、コントローラが飼育ケージの外側に位置している風量測定器は、一方の手で飼育ケージを持つとともに、他方の手で風速センサのコントローラを持つことができるから、片手で飼育ケージを各ケージ収容部に挿脱しつつ、コントローラに表示された換気風量を見ることができ、各ケージ収容部における飼育ケージの換気風量を容易に確認することができる。風量測定器は、プローブの柄部が昇降台座に固定されるから、全てのケージ収容部における測定位置を同一にすることができるとともに、換気風量の測定時に風速センサのセンサ部がラック本体の所定の箇所に衝突することはなく、センサ部の損傷を防ぐことができる。
【００４１】
風速センサが柄部とコントローラとを連結するケーブルを含み、コントローラが飼育ケージの所定の箇所に取り付けられている風量測定器は、コントローラを片手で持って換気風量を測定する風量測定器と異なり、コントローラを手で持つ必要はなく、片手で飼育ケージをケージ収容部に挿入しつつ、コントローラに表示された換気風量を見ることができ、各ケージ収容部における飼育ケージの換気風量を容易に確認することができる。風量測定器は、プローブの柄部が昇降台座に固定されるから、全てのケージ収容部における測定位置を同一にすることができるとともに、換気風量の測定時に風速センサのセンサ部がラック本体の所定の箇所に衝突することはなく、センサ部の損傷を防ぐことができる。
【００４２】
昇降台座が上下方向上方へ上昇したことをトリガーとして換気風量計測手段と風量比較手段とを開始する風量測定器は、昇降台座が上下方向上方へ上昇し、第２ボックスの頂部開口を画成する周縁部が空気排気口の周囲に密着したことを条件に、換気風量の計測が開始されるから、全てのケージ収容部における飼育ケージの換気風量を同一の条件で測定することができ、各ケージ収容部において測定風量と設定風量とを同一の条件で比較することができる。
【００４３】
風速センサが０．０１〜５．０ｍ／ｓの微風速を測定する無指向性の微風速センサである風量測定器は、飼育ケージの内部における空気の風速が微風速を条件としており、無指向性の微風速センサを使用することで、ケージにおける正確な換気風速を測定することができる。
【図面の簡単な説明】
【００４４】
【図１】一例として示す実験動物飼育用ラックの斜視図。
【図２】ケージ収容部に飼育ケージを収容した状態で示すラックの部分拡大側面図。
【図３】一例として示す風速センサの斜視図。
【図４】一例として示す風量測定器の分解側面図。
【図５】空気通流ボックスの斜視図。
【図６】センサユニットが下降した状態にある風量測定器の側面図。
【図７】センサユニットが下降した状態にある風量測定器の正面図。
【図８】センサユニットが下降した状態にある風量測定器の上面図。
【図９】センサユニットが上昇する途中の状態にある風量測定器の側面図。
【図１０】センサユニットが上昇した状態にある風量測定器の側面図。
【図１１】センサユニットが上昇した状態にある風量測定器の正面図。
【図１２】センサユニットが上昇した状態にある風量測定器の上面図。
【図１３】他の一例として示すコントローラの斜視図。
【図１４】他の一例として示す風量測定器の側面図。
【図１５】他の一例として示す風量測定器の背面図。
【発明を実施するための形態】
【００４５】
一例として示す実験動物飼育用ラック１１の斜視図である図１等の添付の図面を参照し、本発明にかかる風量測定器の詳細を説明すると、以下のとおりである。なお、図２は、ケージ収容部１５に飼育ケージ１４を収容した状態で示すラック１１の部分拡大側面図であり、図３は、一例として示す風速センサ１７の斜視図である。図４は、一例として示す風量測定器１０Ａの分解側面図であり、図５は、空気通流ボックス３８の斜視図である。図６は、センサユニット１８が下降した状態にある風量測定器１０Ａの側面図であり、図７は、センサユニット１８が下降した状態にある風量測定器１０Ａの正面図である。図８は、センサユニット１８が下降した状態にある風量測定器１０Ａの上面図である。図６，７では、前後方向を矢印Ａ（図６のみ）で示し、横方向を矢印Ｂ（図７のみ）で示すとともに、上下方向を矢印Ｃで示す。図８では、前後方向前方を矢印Ａ１で示し、前後方向後方を矢印Ａ２で示す。
【００４６】
図２では、飼育ケージ１４の内部における空気の流れや排気チャンバー１３の内部における空気の流れを矢印で示す。図４，６〜８では、風速センサ１７のコントローラ３０Ａおよびケーブル３１の図示を省略している。図６〜８では、飼育ケージ１４を二点鎖線で示す。以下、風量測定器１０Ａを使用して実験動物飼育用ラック１１におけるケージ収容部１５の換気風量を測定する場合を例として、風量測定器１０Ａ（風量測定器１０Ｂを含む）の詳細を説明する。
【００４７】
なお、風量測定器１０Ａ（風量測定器１０Ｂを含む）は、実験動物飼育用ラック１１のケージ収容部１５における換気風量の測定のみならず、所定容積の内部空間を有する構造物の内部空間に流れる空気の風量を測定することもできる。この場合、風量測定器１０Ａが構造物の内部空間に挿脱可能に収容される。構造物としては、生体の培養ケースや植物を栽培する所定容積の実験用植物栽培ケース等があるが、構造物をそれら限定するものではなく、内部空間に空気が流れ、その空気の風量を測定する必要がある全ての構造物にこの風量測定器１０Ａを使用することができる。
【００４８】
実験動物飼育用ラック１１は、実験動物飼育室（図示せず）の室内に設置される。実験動物を飼育する作業者は、実験動物飼育室で実験動物の飼育作業を行う。実験動物飼育室の天井には、空調用の給気口が設置されている。室外に設置された空気調和機で所定の温度および湿度に管理されるとともに、空気清浄機で除塵殺菌された清浄な空気が給気口から実験動物飼育室の室内に供給されている。なお、実験動物飼育用ラック１１（ラック本体１２および排気チャンバー１３）の構造については、特開２０１０−０４１９７８号公報や特開２０１２−０１０６１５号公報に開示のそれを援用し、その詳細な説明は省略する。
【００４９】
実験動物飼育用ラック１１は、ラック本体１２と、ラック本体１２に取り付けられた排気チャンバー１３とから形成されている。ラック本体１２は、実験動物の飼育ケージ１４を挿脱可能に収容する複数のケージ収容部１５（内部空間）と、それらケージ収容部１５に作られた空気排気口１６とを有する。なお、図示はしていないが、ケージ収容部１５には、ケージ１４を円滑に挿入するための案内レールが設置されている。
【００５０】
空気排気口１６は、それらケージ収容部１５の天井に作られた円形の開口であり、複数個のそれらが横方向へ一列に並んでいる。空気排気口１６は、図２に示すように、ラック１１のケージ収容部１５に飼育ケージ１４を収容したときにそのケージ１４の前壁２０の側の上方に位置する。
【００５１】
排気チャンバー１３は、ラック本体１１の背面側に設置され、ケージ収容部１５に収容された各飼育ケージ１４の内部に流れる空気を空気排気口１６を介して実験動物飼育室の室外に排気する。排気チャンバー１３は、図示はしていないが、その上部に排気ダクトが設置され、排気ダクトを介して室外に設置された排気ファンに接続されている。排気チャンバー１３の内部に吸引された空気は、排気ファンにより実験動物飼育室の室外に排気される。
【００５２】
風量測定器１０Ａ（換気風量測定ケージ）は、飼育ケージ１４（筐体）および風速センサ１７と、風速センサ１７の後記するプローブを着脱可能に固定するセンサユニット１８と、センサユニット１８とともに風速センサ１７を風量測定器１０Ａの内部において上下方向へ昇降させる昇降ユニット１９とを有する。
【００５３】
飼育ケージ１４（風量測定器１０Ａ、なお、後記する風量測定器１０Ｂを含む）は、前後方向に対向する前壁２０および後壁２１と、横方向に対向する両側壁２２，２３と、底壁２４および頂部開口２５とを有する。それら壁２０〜２４は、透明なプラスチックから作られ、略矩形に成形されている。飼育ケージ１４には、それら壁２０〜２４に囲繞された所定容積の飼育空間２６が画成されている。なお、図示はしていないが、各種大きさの飼育ケージ１４が存在し、それらケージ１４によってその前後方向の長さ寸法や横方向の幅寸法、上下方向の高さ寸法が異なる。飼育ケージ１４は、ラック本体１２の各ケージ収容部１５の正面から排気チャンバー１３の側へ向かって後方へ挿入する。飼育ケージ１４をケージ収容部１５から取り出すには、ケージ収容部１５に収容されたケージ１４を前方へ引き出す。
【００５４】
風量測定器１０Ａを形成する飼育ケージ１４は、実際に実験動物飼育用ラック１１に利用されるそれが使用されている。風量測定器１０Ａを形成する飼育ケージ１４の後壁２１の下部には、矩形の開口２７が作られている。さらに、飼育ケージ１４の後壁２１の上部には、持ち手２８が取り付けられている。持ち手２８は、後壁２１の上部に固定されて前後方向後方へ延びる固定部と、固定部につながって上下方向下方へ延びる把持部とから形成されている。
【００５５】
風速センサ１７は、飼育ケージ１４の飼育空間２６の換気風量を測定する。風速センサ１７は、図３に示すように、プローブ２９およびコントローラ３０Ａと、ケーブル３１とから形成されている。プローブ２９は、前後方向へ長い棒状のセンサ部３２と前後方向へ長い棒状の柄部３３とを有する。センサ部３２は、その太さが柄部３３のそれよりも小さく、それに衝撃が加わると、折損や欠損する場合がある。
【００５６】
風速センサ１７には、０．０１〜５．０ｍ／ｓの微風速を測定する無指向性の微風速センサが使用されている。飼育ケージ１４の内部における空気の風速が微風速を条件としており、無指向性の微風速センサを使用することで、ケージ１４における正確な換気風速を測定することができる。なお、風速センサ１７の通常の測定作業では、プローブ２９の柄部３３を手で把持し、センサ部３２を測定箇所に近づけて風速の測定を行うが、センサ部３２が測定箇所に衝突し、センサ部３２を損傷する場合がある。
【００５７】
コントローラ３０Ａは、プローブ２９のセンサ部３２が検知した風速から風量測定器１０Ａ（飼育ケージ１４）の換気風量を計測する。具体的には、測定した風速に後記する第１ボックス４３の空気流路５１の面積を乗じてケージ１４における換気風量を算出する。コントローラ３０Ａは、ＣＰＵおよびメモリを有し、スイッチ（図示せず）やテンキーユニット３４、ディスプレイ３５を備えている。コントローラ３０Ａは、計測した換気風量をディスプレイ３５にデジタル表示する。コントローラ３０Ａのメモリには、第１ボックス４３の空気流路５１の面積が格納されている。空気流路５１の面積の設定値は、テンキーユニット３４によって任意に変更することができる。
【００５８】
ケーブル３１は、プローブ２９の柄部３３とコントローラ３０Ａとに接続され、それらを連結している。風速センサ１７をセンサユニット１８に固定した状態では、コントローラ３０Ａが風量測定器１０Ａの外側に位置し、ケーブル３１の一部が風量測定器１０Ａの内部に位置するとともに、その大部分が風量測定器１０Ａの後壁２１から風量測定器１０Ａの外側へ向かって延びる。
【００５９】
センサユニット１８は、風量測定器１０Ａ（飼育ケージ１４）の内部（飼育空間２６）に設置されている。センサユニット１８は、風量測定器１０Ａの内部において前後方向へ延びる昇降台座３６と、昇降台座３６の前端部３７に設置された空気流通ボックス３８とを備えている。昇降台座３６には、風速センサ１７が着脱可能に固定される。昇降台座３６は、金属またはプラスチックから作られている。
【００６０】
昇降台座３６は、前後方向へ延びる両側板３９およびフランジ４０と、それら側板３９の間に位置して前後方向へ並ぶ２つのセンサ留具４１とを有する。フランジ４０は、側板３９の上端部から横方向外方へ張り出している。昇降台座３６の前端部３７に延びるそれらフランジ４０には、前後方向へ並ぶ４つの高さ調節治具４２が設置されている。高さ調節治具４２は、上下方向へ延びる円筒である。
【００６１】
空気通流ボックス３８は、風速センサ１７のセンサ部３２が位置する筒状の第１ボックス４３と、第１ボックス４３の上方に位置する第２ボックス４４とから形成されている。第１ボックス４３は、図５に示すように、透明なプラスチックから作られ、第１〜第４側壁４５〜４８を有する四角柱状に成形されている。第１ボックス４３は、風量測定器１０Ａ（飼育ケージ１４）の底壁２４に対向する円形の底部開口４９と、風量測定器１０Ａ（飼育ケージ１４）の頂部開口２５に対向する円形の頂部開口５０と、それら開口４９，５０の間に延びる円形筒状の空気流路５１とを有する。頂部開口５０は、第２ボックス４４に連通されている。
【００６２】
第１ボックス４３は、風量測定器１０Ａの前壁２０の側に延びる両側板３９の間に配置されている。第１ボックス４３では、第１側壁４５がセンサ留具４１に対向し、第２および第４側壁４６，４８が側板３９に対向しているとともに、第３側壁４７が風量測定器１０Ａ（飼育ケージ１４）の前壁２０に対向している。第１ボックス４３の第１側壁４５には、径寸法がプローブ２９の柄部３３と略同一の挿入孔５２が穿孔されている。空気流路５１は、風量測定器１０Ａ（飼育ケージ１４）の前壁２０の側における上下方向中央に位置し、底部開口４９と頂部開口５０との間を上下方向へ直状に延びている。
【００６３】
第２ボックス４４は、透明なプラスチックから作られ、矩形の頂板５３および底板５４と、矩形の前板５５および後板５６と、矩形の両側板５７，５８とを有する横方向へ長い六面体である。第２ボックス４４は、第１ボックス４３の頂部開口５０から流入した空気が通る空気流路５９と、ケージ収容部１５に作られたそれら空気排気口１６に対向する矩形の頂部開口６０とを有する。第２ボックス４４の頂部開口６０を画成する周縁部の全域には、ゴム製のガスケット６１（パッキン）が取り付けられている。
【００６４】
第２ボックス４４の底板５４には第１ボックス４３が固定され、第１ボックス４３の頂部開口５０が第２ボックス４４の空気流路５９につながっている。第２ボックス４４の底板５４の角部には、高さ調節治具４２の位置に一致する４つのビス孔６２が作られている。高さ調節治具４２およびビス孔６２にはビス６３が挿入され、そのビス６３がフランジ４０とビス孔６２とに螺着されている。第２ボックス４４（第１ボックス４３を含む）は、ビス６３によってフランジ４０に着脱可能に固定されている。第２ボックス４４をフランジ４０に固定すると、第１ボックス４３の底部開口４９が風量測定器１０Ａ（飼育ケージ１４）の底壁２４の側に位置するとともに、第２ボックス４４の頂部開口６０が風量測定器１０Ａ（飼育ケージ１４）の頂部開口２５の側に位置する。
【００６５】
なお、第１ボックス４３は、その空気流路５１の面積が風量測定器１０Ａ（飼育ケージ１４）の容積によってあらかじめ決定されている。風量測定器１０Ａの容積によって空気流路５１の面積の異なる第１ボックス４３が昇降台座３６の前端部３７に着脱可能に設置される。具体的には、空気流路５１の面積の異なる第１ボックス４３が固定された第２ボックス４４のいずれかをビス６３によってフランジ４０に固定する。また、風量測定器１０Ａの上下方向の高さ寸法に応じて風量測定器１０Ａ（飼育ケージ１４）の底壁２４からの第２ボックス４４の頂部開口６０の上下方向の高さ寸法を調節することができる。具体的には、高さ調節治具４２の上下方向長さ寸法を調節することで、頂部開口６０の高さ寸法を調節する。
【００６６】
それらセンサ留具４１は、側板３９の間に延びる矩形の横板６４と、横板６４の上面に設置された四角形の包囲板６５と、包囲板６５の内周面に取り付けられたゴム製の圧着部材６７とから形成されている。包囲板６５は、ビス６８によって横板６４に固定されている。風速センサ１７をセンサ留具４１に固定する手順は、風速センサ１７のセンサ部３２および柄部３３を包囲板６５の内側（圧着部材６６の内側）に挿通するとともに、センサ部３２を第１ボックス４３の挿入孔５２に挿入する。柄部３３を包囲板６５の内側に挿通すると、包囲板６５に取り付けられた圧着部材６６が柄部３３の周面を押圧し、柄部３３が包囲板６５（圧着部材６６）に固定されるとともに、センサ部３２が第１ボックス４３の空気流路５１の中央（測定位置）に配置される。包囲板６５に対する柄部３３の固定位置を変えることによって、センサ部３２の空気流路５１に対する位置を変えることができる。
【００６７】
なお、第１ボックス４３が透明なプラスチックで作られているから、空気流路５１内における風速センサ１７のセンサ部３２を風量測定器１０Ａの外側から目視することができ、測定者が空気流路５１内におけるセンサ部３２の位置決めを容易に行うことができる。
【００６８】
風速センサ１７をセンサ留具４１に固定した後、柄部３３の後端にケーブル３１の一方の連結端部を連結し、コントローラ３０Ａにケーブル３１の他方の連結端部を連結する。柄部３３にケーブル３１を連結するとともに、ケーブル３１にコントローラ３０Ａを連結すると、ケーブル３１の一部が風量測定器１０Ａ内に位置し、ケーブル３１の残余の部分が風量測定器１０Ａ（飼育ケージ１４）の後壁２１の開口２７から風量測定器１０Ａの外側へ延び、コントローラ３０Ａが風量測定器１０Ａの外側に位置する。
【００６９】
昇降ユニット１９は、風量測定器１０Ａ（飼育ケージ１４）の内部（飼育空間２６）に設置されている。昇降ユニット１９は、風量測定器１０Ａの内部において前後方向へ延びるスライダー６８と、風量測定器１０Ａの内部において前後方向へ延びる固定台座６９と、風量測定器１０Ａ（飼育ゲージ１４）の後壁２１の開口２７から後方であって風量測定器１０Ａの外側に位置するトグルクランプ７０と、昇降台座３６（風速センサ１７）を昇降させるベルクランク７１とを備えている。
【００７０】
スライダー６８は、金属またはプラスチックから作られている。スライダー６８は、両側板７２と後板７３とから形成されている。スライダー６８は、昇降台座３６の下方に位置し、風量測定器１０Ａの内部（飼育空間２６）において前後方向前方と前後方向後方とへスライドする。固定台座６９は、金属またはプラスチックから作られている。固定台座６９は、両側板７４と底板７５と後板７６とから形成されている。固定台座６９は、スライダー６８の下方に位置し、その底板７５が風量測定器１０Ａ（飼育ケージ１４）の底壁２４にビス７７によって固定されている。固定台座６９は、その後端部７８（後板７６、両側板７４および底板７５の一部）が風量測定器１０Ａ（飼育ケージ１４）の後壁２１に形成された開口２７から風量測定器１０Ａの外側に露出している。
【００７１】
トグルクランプ７０は、固定台座６９の後板７６に固定されている。トグルクランプ７０は、往復スライダクランク機構によってスライダー６８を前後方向前方と前後方向後方とへスライドさせる。トグルクランプ７０は、前後方向へ延びる軸７９と、固定台座６９の後板７６に取り付けられて軸７９を摺動可能に挿通する軸留具８０と、第１リンク８１および第２リンク８２と、レバー８３およびストッパー８４とから形成されている。
【００７２】
軸７９は、金属またはプラスチックから作られている。軸７９は、固定台座６９の後板７６とトグルクランプ７０の軸留具８０とに挿通されている。軸７９は、固定台座６９の内側に位置する内側部分８５と、軸留具８０から露出して固定台座６９の外側に位置する外側部分８６とを有する。軸７９の内側部分８５の先端は、スライダー６８の後板７３に固定されている。
【００７３】
第１リンク８１は、金属またはプラスチックから作られている。第１リンク８１は、その後端部８７が取付ピン８８を介して軸留具８０に旋回可能に取り付けられ、その前端部８９が取付ピン９０を介して第２リンク８２の後端部９１に旋回可能に取りけられている。第２リンク８２は、金属またはプラスチックから作られている。第２リンク８２は、その前端部９２が取付ピン９３を介して軸７９の外側部分８６の先端に旋回可能に取り付けられ、その後端部９１が取付ピン９０を介して第１リンク８１の前端部８９に回転可能に連結されている。
【００７４】
レバー８３やストッパー８４は、金属またはプラスチックから作られている。レバー８３は、第２リンク８２の後端部９１に連結されて上下方向へ延びている。ストッパー８４は、横方向へ延びる棒であり、第１リンク８１の中間に取り付けられ、軸７９の外側部分の上方に位置している。
【００７５】
ベルクランク７１は、梃子クランク機構によって昇降台座３６（風速センサ１７のプローブ２９）を昇降させる。ベルクランク７１は、金属またはプラスチックから作られている。ベルクランク７１には、昇降台座３６の前端部３７の側に位置する第１および第２ベルクランク７１と、固定台座６９の後端部７８の側に位置する第３および第４ベルクランク７１との４つのそれらが使用されている。それらベルクランク７１は、昇降台座３６とスライダー６８と固定台座６９とに連結されている。
【００７６】
それらベルクランク７１は、Ｌ字状に成形され、上下方向へ延びる原動軸９４と、前後方向へ延びていて長さ寸法が原動軸９４のそれよりも小さい従動軸９５と、それら軸９４，９５の間に位置するシャフト９６とを有する。それらベルクランク７１のシャフト９６は、固定台座６９の両側板７４のうちの上方へ延出する延出部分９７に回転軸９８を介して回転可能に連結されている。それらベルクランク７１の原動軸９４は、スライダー６８（原動体）の側板７２に回転軸９９を介して回転可能に連結されている。それらベルクランク７１の従動軸９５は、昇降台座３６（従動体）の側板３９に回転軸１００を介して旋回可能に連結されている。
【００７７】
図９は、センサユニット１８が上昇する途中の状態にある風量測定器１０Ａの側面図であり、図１０は、センサユニット１８が上昇した状態にある風量測定器１０Ａの側面図である。図１１は、センサユニット１８が上昇した状態にある風量測定器１０Ａの正面図であり、図１２は、センサユニット１８が上昇した状態にある風量測定器１０Ａの上面図である。なお、図９から１２では、コントローラ３０Ａおよびケーブル３１の図示を省略している。
【００７８】
以下、風量測定器１０Ａを使用して飼育ケージ１４の内部（飼育空間２６）の換気風量（ケージ収容部１５の空気排気口１６における排気風量）を測定する手順を説明する。なお、換気風量の測定時には、センサユニット１８のセンサ留具４１に風速センサ１７のプローブ２９が固定され、プローブ２９とコントローラ３０Ａとにケーブル３１が連結されている。
【００７９】
測定者は、風量測定器１０Ａの持ち手２８を一方の手で把持し、他方の手でコントローラ３０Ａを持ちながら、風量測定器１０Ａをラック１１のケージ収容部１５に挿入し、風量測定器１０Ａの内部における換気風量を風速センサ１７によって計測する。なお、１箇所のケージ収容部１５の排気風量を測定した後、次の収容部１５に風量測定器１０Ａを挿入し、その収容部１５の排気風量を測定する。
【００８０】
このように、風量測定器１０Ａを各ケージ収容部１５に順に挿入し、全てのケージ収容部１５における排気風量（飼育ケージ１４の内部の換気風量）を風速センサ１７によって計測する。風量測定器１０Ａのケージ収容部１５への挿入時には、収容部１５に設置された案内レールによって風量測定器１０Ａがずれ動くことなく、収容部１５に収容される。換気風量の測定時では、排気チャンバー１３の排気ファンが稼働し、ケージ収容部１５の空気排気口１６からチャンバー１３に空気が吸引されている。
【００８１】
なお、ラック１１のケージ収容部１５に風量測定器１０Ａを形成する飼育ケージ１４の全体を挿入すると、ケージ１４の前壁２０の上部がケージ収容部１５に当接し、ケージ１４のそれ以上の前進が阻止されるとともに、空気排気口１６がケージ１０Ａの前壁２０の側の上方（第２ボックス４４の頂部開口６０の上方）に位置する。
【００８２】
風量測定器１０Ａでは、トグルクランプ７０の往復スライダクランク機構によってスライダー６８を前後方向前方へスライドさせると、ベルクランク７１の梃子クランク機構によって昇降台座３６（風速センサ１７のプローブ２９）が上下方向上方へ上昇し、トグルクランプ７０の往復スライダクランク機構によってスライダー６８を前後方向後方へスライドさせると、ベルクランク７１の梃子クランク機構によって昇降台座３６が上下方向下方へ下降する。
【００８３】
図６〜１２に基づいて昇降台座３６の昇降を具体的に説明すると、以下のとおりである。風量測定器１０Ａをラック１１のケージ収容部１５に挿入した時点では、図６〜８に示すように、レバー８３が上方へ垂直に旋回しているとともに、スライダー６８が前後方向後方へスライドしており、レバー８３がストッパー８４に当接し、レバー８３のそれ以上の旋回が阻止されている。この状態では、昇降台座３６が下降し、ケージ収容部１５の空気排気口１６と第２ボックス４４の頂部開口６０とが上下方向へ離間し、頂部開口６０が空気排気口１６の下方に位置する。
【００８４】
風量測定器１０Ａ（飼育ケージ１４）をラック１１のケージ収容部１５に挿入した後、測定者がレバー８３を下方へ旋回させると、第２リンク８２の前端部９２がピン９３を中心に回転し、それにともなって第２リンク８２の後端部９１が上方へ次第に旋回する。さらに、第２リンク８２の後端部９１の旋回にともなって第１リンク８１の後端部８７がピン８８を中心に回転するとともに、第１リンク８１の前端部８９が上方へ旋回する。第２リンク８２の後端部９１と第１リンク８１の前端部８９とが上方へ旋回すると、第２リンク８２の前端部９２が前後方向前方へ移動するとともに、前端部９２の前方への移動にともなって軸７９の外側部分８６が前方へ次第に移動し、軸７９の内側部分８５が前方へ次第に移動する。
【００８５】
軸７９が前後方向前方へ移動すると、軸７９に押されてスライダー６８が前方へ次第に移動するとともに、スライダー６８に回転可能に連結された第１〜第４ベルクランク７１の原動軸９４がスライダー６８に押され、それらベルクランク７１の原動軸９４が前後方向前方へ次第に旋回し、それによってそれらベルクランク７１がシャフト９６を中心に回転する。さらに、それらベルクランク７１がシャフト９６を中心に回転することにより、それらベルクランク７１の従動軸９５が上下方向上方へ次第に旋回する。従動軸９５が上方へ旋回すると、従動軸９５が連結された昇降台座３６が上方へ次第に上昇する。
【００８６】
図９に示すように、レバー８３が前後方向前方に向かって略水平に旋回した状態では、図６の状態と比較し、第１リンク８１の前端部８９が上方に旋回してリンク８１が上り勾配に傾斜し、第２リンク８２の後端部９１が上方に旋回しており、軸７９が前方へ移動している。また、スライダー６８が前後方向前方へ移動し、それらベルクランク７１の原動軸９４が前後方向前方へ旋回して上下方向へ略垂直になるとともに、それらベルクランク７１の従動軸９５が上下方向上方へ旋回して前後方向へ略水平となり、昇降台座３６が上方へ上昇している。
【００８７】
また、図１０に示すように、レバー８３が上下方向下方へ垂直に旋回した状態では、図９の状態と比較し、第１および第２リンク８１，８２が略水平になり、軸７９とスライダー６８とが図９の状態よりも前方へ移動している。また、それらベルクランク７１の原動軸９４が傾斜するとともに、それらベルクランク７１の従動軸９５が上り勾配に傾斜し、昇降台座３６が図９の状態よりも上方へ上昇している。さらに、ストッパー８４が軸７９の上部の外周面に当接し、レバー８３のそれ以上の旋回が阻止されている。
【００８８】
レバー８３が上下方向下方へ垂直に旋回し、センサユニット１８とともに風速センサ１７のプローブ２９を上下方向上方へ上昇させた図１０〜１２の状態では、第２ボックス４４の頂部開口６０が風量測定器１０Ａ（飼育ケージ１４）の頂部開口２５よりも上方に位置し、第２ボックス４４の頂部開口６０がケージ収容部１５の空気排気口１６の全域を包囲するとともに、頂部開口６０を画成する周縁部がガスケット６１を介して空気排気口１６の周囲に密着する。さらに、風速センサ１７のセンサ部３２が風量測定器１０Ａの内部の測定位置（第１ボックス４３の空気流路５１の中央）に位置決め固定される。
【００８９】
第２ボックス４４の頂部開口６０の周縁部が空気排気口１６の周囲に密着すると、風量測定器１０Ａの内部の空気が第１ボックス４３の底部開口４９から空気流路５１を通って頂部開口５０に向かい、頂部開口５０から第２ボックス４４の空気流路５９に進入して第２ボックス４４の頂部開口６０から空気排気口１６に吸引される。
【００９０】
第２ボックス４４の頂部開口６０の周縁部が空気排気口１６の周囲に密着することで、第２ボックス４４の頂壁５３と空気排気口１６との間に隙間が生じることはなく、風量測定器１０Ａの内部の空気が第１ボックス４３の空気流路を通流し、空気が乱れることはなく、安定した気流が風速センサ１７のセンサ部３２に通流する。
【００９１】
レバー８３を下方へ旋回させ、風速センサ１７のプローブ２９を上方へ上昇させた後、測定者は、コントローラ３０ＡのスイッチをＯＮにする。スイッチをＯＮにすると、風速センサ１７のセンサ部３２が検知した第１ボックス４３の空気流路５９の風速がコントローラに転送され、コントローラ３０Ａが空気流路５９の面積に風速を乗じて換気風量を計測する（換気風量計測手段）。コントローラ３０Ａは、計測した換気風量をディスプレイ３５に表示する（風量表示手段）。
【００９２】
測定者は、ディスプレイ３５に表示された換気風量を視認することで、風量測定器１０Ａ（飼育ケージ１４）の内部の換気風量（ケージ収容部１５の空気排気口１６における排気風量）を知ることができる。測定者は、ディスプレイ３５に表示された換気風量が許容のそれである場合、コントローラ３０ＡのスイッチをＯＦＦにし、そのケージ収容部１５の換気風量の測定を終了し、次のケージ収容部１５の換気風量の測定を行う。
【００９３】
ケージ収容部１５の換気風量を測定した後、次のケージ収容部１５の換気風量の測定を行う手順の一例は、以下のとおりである。測定者は、レバー８３を上方へ旋回させる。レバー８３を上方へ旋回させると、第２リンク８２の前端部９２がピン９３を中心に回転し、それにともなって第２リンク８２の後端部９１が上方へ次第に旋回する。さらに、第２リンク８２の後端部９１の旋回にともなって第１リンク８１の後端部８７がピン８８を中心に回転するとともに、第１リンク８１の前端部８９が上方へ旋回する。第２リンク８２の後端部９１と第１リンク８１の前端部８９とが上方へ旋回すると、第２リンク８２の前端部９２が前後方向後方へ移動するとともに、前端部９２の後方への移動にともなって軸７９の外側部分８６が後方へ次第に移動し、軸７９の内側部分８５が後方へ次第に移動する。
【００９４】
軸７９が前後方向後方へ移動すると、軸７９に引っ張られてスライダー６８が後方へ次第に移動するとともに、スライダー６８に回転可能に連結された第１〜第４ベルクランク７１の原動軸９４がスライダー６８に引かれ、それらベルクランク７１の原動軸９４が前後方向後方へ次第に旋回し、それによってそれらベルクランク７１がシャフト９６を中心に回転する。さらに、それらベルクランク７１がシャフト９６を中心に回転することにより、それらベルクランク７１の従動軸９５が上下方向下方へ次第に旋回する。従動軸９５が下方へ旋回すると、従動軸９５が連結された昇降台座３６が下方へ次第に下降する。
【００９５】
レバー８３を上方へ垂直に旋回させると、スライダー６８が前後方向後方へスライドして昇降台座３６が下降し、ケージ収容部１５の空気排気口１６と第２ボックス４４の頂部開口６０とが上下方向へ離間し、頂部開口６０が空気排気口１６の下方に位置する。レバー８３を上方へ垂直に旋回させた後、測定者は、風量測定器１０Ａの持ち手２８を手で把持し、風量測定器１０Ａをケージ収容部１５から引き抜き、次に収容部１５に風量測定器１０Ａを挿入し、前述した手順でその収容部１５の換気風量を測定する。
【００９６】
風量測定器１０Ａ（換気風量測定ケージ）は、昇降ユニット１９によって風速センサ１７のプローブ２９を上下方向上方へ上昇させたときに、風速センサ１７のセンサ部３２が風量測定器１０Ａ（飼育ケージ１４）の内部（飼育空間２６）の測定位置（第１ボックス４３の空気流路５１の中央）に位置決め固定され、空気流路５１に流れる空気をセンサ部３２に通流させることで風速センサ１７が風量測定器１０Ａにおける換気風量を測定するから、風速センサ１７のセンサ部３２を風量測定器１０Ａの内部の測定位置に位置決め固定することができ、全ての測定対象のケージ収容部１５における測定位置を同一にすることができる。
【００９７】
換気風量測定ケージ１０Ａは、同一の測定条件で全てのケージ収容部１５における風量測定器１０Ａ（飼育ケージ１４）の換気風量を測定することができるから、測定条件が異なることによる換気風量の測定値のばらつきを防ぐことができ、正確な換気風量を測定することができる。風量測定器１０Ａは、第１ボックス４３の空気流路５１に流れる空気を風速センサ１７のセンサ部３２に通流させるから、他の箇所からの空気の進入による空気の気流の乱れがなく、全てのケージ収容部１５において安定した気流で換気風量を測定することができ、安定した条件でケージ収容部１５における飼育ケージ１４の換気風量を測定することができる。
【００９８】
風量測定器１０Ａは、風速センサ１７のプローブ２９がセンサユニット１８のセンサ留具４１に固定されているから、換気風量の測定時に風速センサ１７のセンサ部３２がラック本体１１のケージ収容部１５に衝突することはなく、センサ部３２の損傷を防ぐことができ、損傷したセンサ部３２の交換に要するコストや手間がかからず、短時間に各ケージ収容部１５の換気風量を測定することができる。
【００９９】
図１３は、他の一例として示すコントローラ３０Ｂの斜視図である。このコントローラ３０Ｂが図３のそれと異なるところは、コントローラ３０Ｂに赤色のＬＥＤ１０１および青色のＬＥＤ１０２とスピーカー１０３とが設置され、コントローラ３０Ｂが以下の手段を有する点にある。なお、その他の構成は図１のコントローラ３０Ａと同一である。なお、コントローラ３０Ｂのメモリには、所定範囲の設定風量があらかじめ格納されている。設定風量は、テンキーユニット３４によって任意に設定することができる。
【０１００】
このコントローラ３０Ｂを使用した換気風量の測定を説明すると、以下のとおりである。前述した手順と同様に、測定者がケージ１０Ａをケージ収容部１５に挿入し、レバー８３を下方へ旋回させて第２ボックス４４の頂部開口６０の周縁部を空気排気口１６の周囲に密着させた後、コントローラ３０ＢのスイッチをＯＮにする。スイッチをＯＮにすると、コントローラ３０Ｂは、風速センサ１７のセンサ部３２から転送された風速に空気流路５１の面積を乗じて換気風量を計測するとともに（換気風量計測手段）、計測した換気風量をディスプレイ３５に表示する（風量表示手段）。
【０１０１】
コントローラ３０ＢのＣＰＵは、あらかじめ設定された設定風量と計測した測定風量とを比較し（風量比較手段）、風量比較手段によって設定風量と測定風量とを比較した結果、測定風量が設定風量の範囲内にある場合、ＬＥＤ（青色）を発光させるとともに、スピーカーから風量可を伝えるメッセージを発音する（第１信号出力手段）。逆に、測定風量が設定風量の範囲内にない場合、ＬＥＤ（赤色）を発光させるとともに、スピーカーから風量不可を伝えるメッセージを発音する（第２信号出力手段）。
【０１０２】
測定者は、青色のＬＥＤが発光し、風量可を伝えるメッセージが発音されることで、測定風量が設定風量の範囲内にあることを知ることができる。また、測定者は、赤色のＬＥＤが発光し、風量不可を伝えるメッセージが発音されることで、測定風量が設定風量の範囲内にないことを知ることができる。
【０１０３】
コントローラ３０ＢのＣＰＵは、換気風量計測手段によって計測した風量測定器１０Ａ（飼育ケージ１４）の換気風量（各ケージ収容部１５の排気風量）をメモリに記憶し（換気風量記憶手段）、風量比較手段によって比較した設定風量と測定風量との比較結果（可または不可）をメモリに記憶する（比較結果記憶手段）、また、コントローラ３０Ｂは、換気風量記憶手段によって記憶した換気風量をディスプレイ３５に出力し（換気風量出力手段）、比較結果記憶手段によって記憶した比較結果をディスプレイ３５に出力する（比較結果出力手段）。なお、換気風量出力手段や比較結果出力手段では、換気風量や比較結果とともに各収容部１５を特定する識別番号を表示する。また、コントローラ３０Ｂを端末装置に接続することで、それに格納された換気風量や比較結果、識別番号をプリンタを介して印字することができる。
【０１０４】
このコントローラ３０Ｂを使用した風量測定器１０Ａは、コントローラ３０Ａを使用した風量測定器１０Ａが有するに加え、以下の効果を有する。換気風量測定ケージ１０Ａは、コントローラ３０Ｂを介して測定風量と設定風量とを正確に比較することができるのみならず、測定風量が設定風量の範囲内にあることを光または音によって知ることができるとともに、測定風量が設定風量の範囲内にないことを光または音によって知ることができるから、測定風量が設定風量の範囲内にあるか否かを測定者が容易かつ迅速に知ることができる。風量測定器１０Ａは、測定者が換気風量を視認して判断する手間を省くことができるとともに、測定者の換気風量の視認の誤りによる風量測定の過誤を防ぐことができる。
【０１０５】
風量測定器１０Ａは、換気風量記憶手段によって記憶した換気風量を事後に出力することができ、各ケージ収容部１５における風量測定器１０Ａ（飼育ケージ１４）の換気風量を事後に確認することができる。風量測定器１０Ａは、比較結果記憶手段によって記憶した比較結果を事後に出力することができ、各ケージ収容部１５における飼育ケージ１４の測定風量と設定風量との比較結果を事後に確認することができる。風量測定器１０Ａは、各ケージ収容部１５における飼育ケージ１４の換気風量や各ケージ収容部１５における飼育ケージ１４の測定風量と設定風量との比較結果を印字データとして出力することができるから、各ケージ収容部１５における飼育ケージ１４の換気風量が設定風量の範囲内にあることを十分に実証することができるとともに、各ケージ収容部１５における飼育ケージ１４の換気風量が設計風量内にあり適正であることを十分に実証することができる。
【０１０６】
図１４は、他の一例として示す風量測定器１０Ｂの側面図であり、図１５は、風量測定器１０Ｂの背面図である。図１４，１５では、センサユニット１８が下降した状態にある。図１５では、トグルクランプ７０の図示を省略している。
【０１０７】
この風量測定器１０Ｂ（換気風量測定ケージ）が図４のそれと異なるところは、コントローラ３０Ｃが風量測定器１０Ｂを形成する飼育ケージ１４の後壁２１の上部に固定され、そのコントローラ３０Ｃに赤色のＬＥＤ１０１および青色のＬＥＤ１０２とスピーカー１０３とが設置され、コントローラ３０Ｃが以下の手段を有する点にある。この風量測定器１０Ｂのその他の構成は図４のそれと同一であるから、図４の風量測定器１０Ａと同一の符号を付すとともに、風量測定器１０Ａの説明を援用し、この風量測定器１０Ｂにおけるその他の構成の説明は省略する。
【０１０８】
このコントローラ３０Ｃを使用した風量測定器１０Ｂによる換気風量の測定を説明すると、以下のとおりである。なお、コントローラ３０Ｃにはメモリカード（図示せず）等の記憶メディアが着脱可能に装着され、その記憶メディアに所定範囲の設定風量があらかじめ格納されている。記憶メディアに格納された設定風量は、任意に書き替えることができる。
【０１０９】
前述した手順と同様に、測定者が風量測定器１０Ｂ（飼育ケージ１４）をケージ収容部１５に挿入し、レバー８３を下方へ旋回させて第２ボックス４４の頂部開口６０の周縁部を空気排気口１６の周囲に密着させる。なお、風量測定器１０Ｂでは、昇降台座３６が上方へ上昇（レバー８３が下方へ垂直に旋回）したことをトリガーとしてコントローラ３０Ｃが換気風量計測手段と風量比較手段とを開始する。
【０１１０】
具体的には、昇降台座３６が上方へ上昇（レバー８３が下方へ垂直に旋回）すると、トグルスイッチがＯＮとなり、ＯＮ信号がコントローラ３０Ｃに転送され、コントローラ３０Ｃは、風速センサ１７のセンサ部３２から転送された風速に空気流路５１の面積を乗じて換気風量を計測するとともに（換気風量計測手段）、計測した換気風量をディスプレイ３５に表示する（風量表示手段）。
【０１１１】
コントローラ３０ＣのＣＰＵは、あらかじめ設定された設定風量と計測した測定風量とを比較し（風量比較手段）、風量比較手段によって設定風量と測定風量とを比較した結果、測定風量が設定風量の範囲内にある場合、ＬＥＤ（青色）を発光させるとともに、スピーカーから風量可を伝えるメッセージを発音する（第１信号出力手段）。逆に、測定風量が設定風量の範囲内にない場合、ＬＥＤ（赤色）を発光させるとともに、スピーカーから風量不可を伝えるメッセージを発音する（第２信号出力手段）。
【０１１２】
コントローラ３０ＣのＣＰＵは、換気風量計測手段によって計測した風量測定器１０Ｂ（飼育ケージ１４）の換気風量（各ケージ収容部１５の排気風量）を記憶メディアに書き込み（換気風量記憶手段）、風量比較手段によって比較した設定風量と測定風量との比較結果（可または不可）を記憶メディアに書き込む（比較結果記憶手段）、また、コントローラ３０Ｃは、記憶メディアに書き込んだ換気風量をディスプレイ３５に出力し（換気風量出力手段）、記憶メディアに書き込んだ比較結果をディスプレイ３５に出力する（比較結果出力手段）。
【０１１３】
なお、換気風量出力手段や比較結果出力手段では、換気風量や比較結果とともに各収容部１５を特定する識別番号を表示する。また、記憶メディアをコントローラ３０Ｃから抜き取り、その記憶メディアを端末装置に接続することで、それに格納された換気風量や比較結果、識別番号をプリンタを介して印字することができる。
【０１１４】
このコントローラ３０Ｃを使用した風量測定器１０Ｂは、コントローラ３０Ａを使用した風量測定器１０Ａやコントローラ３０Ｂを使用した風量測定器１０Ａが有する効果に加え、以下の効果を有する。風量測定器１０Ｂは、コントローラ３０Ａ，３０Ｂを片手で持って換気風量を測定する風量測定器１０Ａと異なり、コントローラ３０Ｃを手で持つ必要はなく、片手で風量測定器１０Ｂ（飼育ケージ１４）をケージ収容部１５に挿入し、レバー８３を下方へ旋回させるだけで、換気風量を測定することができるとともに、ＬＥＤ１０１，１０２の発光やスピーカー１０３からの発音により、測定風量が設定風量の範囲内にあることや測定風量が設定風量の範囲内にないことを知ることができるから、測定風量が設定風量の範囲内にあるか否かを測定者が容易かつ一層迅速に知ることができる。
【符号の説明】
【０１１５】
１０Ａ  風量測定器
１０Ｂ  風量測定器
１１    ラック
１２    ラック本体
１３    排気チャンバー
１４    飼育ケージ
１５    ケージ収容部
１６    空気排気口
１７    風速センサ
１８    センサユニット
１９    昇降ユニット
２０    前壁
２１    後壁
２２    側壁
２３    側壁
２４    底壁
２７    頂部開口
２８    持ち手
２９    プローブ
３０Ａ  コントローラ
３０Ｂ  コントローラ
３１    ケーブル
３２    センサ部
３３    柄部
３６    昇降台座
３７    前端部
３８    空気通流ボックス
４１    センサ留具
４３    第１ボックス
４４    第２ボックス
４９    底部開口
５０    頂部開口
５１    空気流路
５２    挿入孔
５９    空気流路
６０    頂部開口
６１    パッキン
６８    スライダー
６９    固定台座
７０    トグルクランプ
７１    ベルクランク
７９    軸
８０    軸留具
８１    第１リンク
８２    第２リンク
８３    レバー
８４    ストッパー
８５    内側部分
８６    外側部分
９４    原動軸
９５    従動軸
９６    シャフト
１０１  ＬＥＤ
１０２  ＬＥＤ
１０３  スピーカー
【図１】
0005986407.tif 000002
【図２】
0005986407.tif 000003
【図３】
0005986407.tif 000004
【図４】
0005986407.tif 000005
【図５】
0005986407.tif 000006
【図６】
0005986407.tif 000007
【図７】
0005986407.tif 000008
【図８】
0005986407.tif 000009
【図９】
0005986407.tif 000010
【図１０】
0005986407.tif 000011
【図１１】
0005986407.tif 000012
【図１２】
0005986407.tif 000013
【図１３】
0005986407.tif 000014
【図１４】
0005986407.tif 000015
【図１５】
0005986407.tif 000016